【手続補正書】
【提出日】平成27年8月3日(2015.8.3)
【手続補正１】
【補正対象書類名】特許請求の範囲
【補正対象項目名】全文
【補正方法】変更
【補正の内容】
【特許請求の範囲】
【請求項１】
画像を形成する画像形成手段と、
前記画像形成手段により形成された画像を測定する測定手段と、
前記画像形成手段により単色の記録剤を用いて形成された単色画像を前記測定手段により測定し、該測定の結果に基づいて前記画像形成手段が形成する単色画像の再現特性を補正するためのデータを生成する単色キャリブレーションの実行と、
前記画像形成手段により複数色の記録剤を用いて形成された混色画像を前記測定手段により測定し、該測定の結果に基づいて前記画像形成手段が形成する混色画像の再現特性を補正するためのデータを生成する混色キャリブレーションの実行とを制御する制御手段と、
前記制御手段により前記単色キャリブレーションが実行された後、前記画像形成手段により形成された単色画像を前記測定手段により測定し、前記単色画像の再現特性を評価するための目標値を用いて前記単色画像の再現特性を評価する評価手段とを有し、
前記制御手段は、前記評価手段が評価をした後に、前記混色キャリブレーションを実施することを特徴とする画像処理装置。
【請求項２】
前記評価手段により、前記単色画像の再現特性が適切ではないと評価された場合、前記制御手段により前記単色キャリブレーションを再び実施させることを特徴とする請求項１に記載の画像処理装置。
【請求項３】
前記評価手段により、前記単色画像の再現特性が適切と評価された場合、前記制御手段により前記混色キャリブレーションを実施させることを特徴とする請求項１に記載の画像処理装置。
【請求項４】
前記評価手段では、前記単色画像の再現特性として前記画像形成手段が形成する単色画像の階調を評価し、
前記評価手段により、前記画像形成手段が形成する単色画像の階調が適切ではないと評価された場合、前記制御手段により前記単色キャリブレーションを再び実施させることを特徴とする請求項１に記載の画像処理装置。
【請求項５】
前記画像形成手段により形成された画像を前記測定手段により測定した測定値と、前記単色画像の再現特性を評価するための目標値との差分が閾値より大きいと判定されると、前記評価手段により前記画像形成手段が形成する単色画像の階調が適切ではないと評価されることを特徴とする請求項４に記載の画像処理装置。
【請求項６】
前記評価手段は、前記制御手段により前記単色キャリブレーションを実施した後に前記画像形成手段により形成されるチャートを前記測定手段により測定して得た単色画像の階調を評価することを特徴とする請求項１乃至５のいずれか１項に記載の画像処理装置。
【請求項７】
前記制御手段により前記単色キャリブレーションを実施した後に前記画像形成手段により形成されるチャートは、前記制御手段により前記単色キャリブレーションを実施する際に使用されるチャートに印刷されるパッチの数よりも少ない数のパッチを有することを特徴とする請求項６に記載の画像処理装置。
【請求項８】
前記評価手段では、前記単色画像の再現特性として前記画像形成手段が形成する単色画像の最大濃度値を評価し、
前記評価手段により、前記画像形成手段が形成する単色画像の最大濃度値が適切ではないと評価された場合、前記制御手段により前記単色キャリブレーションを再び実施させることを特徴とする請求項１に記載の画像処理装置。
【請求項９】
前記画像形成手段により形成された画像を前記測定手段により測定した測定値と、前記単色画像の再現特性を評価するための目標値との差分が閾値より大きいと判定されると、前記評価手段により前記画像形成手段が形成する単色画像の最大濃度値が適切ではないと評価されることを特徴とする請求項８に記載の画像処理装置。
【請求項１０】
前記評価手段は、前記制御手段により前記単色キャリブレーションを実施した後に前記画像形成手段により形成されるチャートを前記測定手段により測定して得た単色画像の最大濃度を評価することを特徴とする請求項１乃至３又は８又は９のいずれか１項に記載の画像処理装置。
【請求項１１】
前記評価手段では、前記単色画像の再現特性として画像形成手段が形成する単色画像の階調および単色画像の最大濃度値を評価し、
前記評価手段により、前記評価手段により、前記画像形成手段が形成する単色画像の階調が適切ではないと評価された場合であっても、前記評価手段により、前記画像形成手段が形成する単色画像の最大濃度値が適切と評価された場合は、前記制御手段により再び前記単色キャリブレーションを実行させる際に、前記画像形成手段が形成する単色画像の最大濃度を補正せず、前記画像形成手段が形成する単色画像の階調を補正することを特徴とする請求項１に記載の画像処理装置。
【請求項１２】
前記評価手段により、前記単色画像の色再現特性が適切ではないと評価された色に対して、
前記制御手段により前記単色の記録剤を用いて前記画像形成手段が形成したチャートを使用して、前記制御手段により前記単色キャリブレーションを再度実施することを特徴とする請求項１に記載の画像処理装置。
【請求項１３】
画像を形成する画像形成ステップと、
前記画像形成ステップにより形成された画像を測定する測定ステップと、
前記画像形成ステップにより単色の記録剤を用いて形成された単色画像を前記測定ステップにより測定し、該測定の結果に基づいて前記画像形成ステップが形成する単色画像の再現特性を補正するためのデータを生成する単色キャリブレーションの実行と、
前記画像形成ステップにより複数色の記録剤を用いて形成された混色画像を前記測定ステップにより測定し、該測定の結果に基づいて前記画像形成ステップが形成する混色画像の再現特性を補正するためのデータを生成する混色キャリブレーションの実行とを制御する制御ステップと、
前記制御ステップにより前記単色キャリブレーションが実行された後、前記画像形成ステップにより形成された単色画像を前記測定ステップにより測定し、前記単色画像の再現特性を評価するための目標値を用いて前記単色画像の再現特性を評価する評価ステップとを有し、前記制御ステップは、前記評価ステップが評価をした後に、前記混色キャリブレーションを実施することを特徴とする画像処理方法。
【請求項１４】
前記評価ステップにより、前記単色画像の再現特性が適切ではないと評価された場合、前記制御ステップにより前記単色キャリブレーションを再び実施させることを特徴とする請求項１３に記載の画像処理方法。
【請求項１５】
前記評価ステップにより、前記単色画像の再現特性が適切と評価された場合、前記制御ステップにより前記混色キャリブレーションを実施させることを特徴とする請求項１３に記載の画像処理方法。
【請求項１６】
前記評価ステップでは、前記単色画像の再現特性として前記画像形成ステップが形成する単色画像の階調を評価し、
前記評価ステップにより、前記画像形成ステップが形成する単色画像の階調が適切ではないと評価された場合、前記制御ステップにより前記単色キャリブレーションを再び実施させることを特徴とする請求項１３に記載の画像処理方法。
【請求項１７】
前記画像形成ステップにより形成された画像を前記測定ステップにより測定した測定値と、前記単色画像の再現特性を評価するための目標値との差分が閾値より大きいと判定されると、前記評価ステップにより前記画像形成ステップが形成する単色画像の階調が適切ではないと評価されることを特徴とする請求項１６に記載の画像処理方法。
【請求項１８】
前記評価ステップは、前記制御ステップにより前記単色キャリブレーションを実施した後に前記画像形成ステップにより形成されるチャートを前記測定ステップにより測定して得た単色画像の階調を評価することを特徴とする請求項１３乃至１７のいずれか１項に記載の画像処理方法。
【請求項１９】
前記制御ステップにより前記単色キャリブレーションを実施した後に前記画像形成ステップにより形成されるチャートは、前記制御ステップにより前記単色キャリブレーションを実施する際に使用されるチャートに印刷されるパッチの数よりも少ない数のパッチを有することを特徴とする請求項１８記載の画像処理方法。
【請求項２０】
前記評価ステップでは、前記単色画像の再現特性として前記画像形成ステップが形成する単色画像の最大濃度値を評価し、
前記評価ステップにより、前記画像形成ステップが形成する単色画像の最大濃度値が適切ではないと評価された場合、前記制御ステップにより前記単色キャリブレーションを再び実施させることを特徴とする請求項１３に記載の画像処理方法。
【請求項２１】
前記画像形成ステップにより形成された画像を前記測定ステップにより測定した測定値と、前記単色画像の再現特性を評価するための目標値との差分が閾値より大きいと判定されると、前記評価ステップにより前記画像形成ステップが形成する単色画像の最大濃度値が適切ではないと評価されることを特徴とする請求項２０に記載の画像処理方法。
【請求項２２】
前記評価ステップは、前記制御ステップにより前記単色キャリブレーションを実施した後に前記画像形成ステップにより形成されるチャートを前記測定ステップにより測定して得た単色画像の最大濃度を評価することを特徴とする請求項１３乃至１５又は２０又は２１のいずれか１項に記載の画像処理方法。
【請求項２３】
前記評価ステップでは、前記単色画像の再現特性として画像形成ステップが形成する単色画像の階調および単色画像の最大濃度値を評価し、
前記評価ステップにより、前記評価ステップにより、前記画像形成ステップが形成する単色画像の階調が適切ではないと評価された場合であっても、前記評価ステップにより、前記画像形成ステップが形成する単色画像の最大濃度値が適切と評価された場合は、前記制御ステップにより再び前記単色キャリブレーションを実行させる際に、前記画像形成ステップが形成する単色画像の最大濃度を補正せず、前記画像形成ステップが形成する単色画像の階調を補正することを特徴とする請求項１３に記載の画像処理方法。
【請求項２４】
前記評価ステップにより、前記単色画像の色再現特性が適切ではないと評価された色に対して、前記制御手段により前記単色の記録剤を用いて前記画像形成ステップが形成したチャートを使用して、前記制御ステップにより前記単色キャリブレーションを再度実施することを特徴とする請求項１３に記載の画像処理方法。
【請求項２５】
コンピュータに、
画像を形成する画像形成ステップと、
前記画像形成ステップにより形成された画像を測定する測定ステップと、
前記画像形成ステップにより単色の記録剤を用いて形成された単色画像を前記測定ステップにより測定し、該測定の結果に基づいて前記画像形成ステップが形成する単色画像の再現特性を補正するためのデータを生成する単色キャリブレーションの実行と、
前記画像形成ステップにより複数の記録剤を用いて形成された混色画像を前記測定ステップにより測定し、該測定の結果に基づいて前記画像形成ステップが形成する混色画像の再現特性を補正するためのデータを生成する混色キャリブレーションの実行とを制御する制御ステップと、
前記制御ステップにより前記単色キャリブレーションが実行された後、前記画像形成ステップにより形成された単色画像を前記測定ステップにより測定し、前記単色画像の再現特性を評価するための目標値を用いて前記単色画像の再現特性を評価する評価ステップとを実行させ、
前記制御ステップにより前記評価ステップが評価をした後に、前記制御ステップにより前記混色キャリブレーションを実施させるためのプログラム。
【手続補正２】
【補正対象書類名】明細書
【補正対象項目名】００１０
【補正方法】変更
【補正の内容】
【００１０】
上述した課題を解決するために本発明の画像処理装置は、画像を形成する画像形成手段と、  前記画像形成手段により形成された画像を測定する測定手段と、前記画像形成手段により単色の記録剤を用いて形成された単色画像を前記測定手段により測定し、該測定の結果に基づいて前記画像形成手段が形成する単色画像の再現特性を補正するためのデータを生成する単色キャリブレーションの実行と、前記画像形成手段により複数色の記録剤を用いて形成された混色画像を前記測定手段により測定し、該測定の結果に基づいて前記画像形成手段が形成する混色画像の再現特性を補正するためのデータを生成する混色キャリブレーションの実行とを制御する制御手段と、前記制御手段により前記単色キャリブレーションが実行された後、前記画像形成手段により形成された単色画像を前記測定手段により測定し、前記単色画像の再現特性を評価するための目標値を用いて前記単色画像の再現特性を評価する評価手段とを有し、前記制御手段は、前記評価手段が評価をした後に、前記混色キャリブレーションを実施することを特徴とする。